(57)【要約】【課題】明るく、且つコントラストが向上された映像を表示できるとともに、いずれの側からも反対側の視認性に優れるスクリーンと該スクリーンに映像光を投射する映写機とを備えた、映像表示装置を提供する。【解決手段】投射された映像光を視認可能に表示するスクリーンと、該スクリーンに映像光を投射する映写機と、を備えた映像表示装置であって、スクリーンは、透光性を有するシート状の基材層と、該基材層の一方の面に形成され、光を散乱する光散乱層と、を備え、光散乱層は、基材層の一方の面に沿って複数並列された、光を透過する光透過部と、隣り合う光透過部間に配置された、光を散乱する光散乱部と、を備え、スクリーンの使用時において光透過部および光散乱部が鉛直方向に対して５°以下の方向に延在するように形成されており、映写機は、スクリーンの使用時の正面視において、スクリーンの中心より左または右に設置される、映像表示装置とする。【選択図】図２
2014115598.tif 000002
【特許請求の範囲】
【請求項１】
投射された映像光を視認可能に表示するスクリーンと、該スクリーンに前記映像光を投射する映写機と、を備えた映像表示装置であって、
前記スクリーンは、透光性を有するシート状の基材層と、該基材層の一方の面に形成され、光を散乱する光散乱層と、を備え、
前記光散乱層は、
前記基材層の一方の面に沿って複数並列された、光を透過する光透過部と、
隣り合う前記光透過部間に配置された、光を散乱する光散乱部と、を備え、
前記スクリーンの使用時において前記光透過部および前記光散乱部が鉛直方向に対して５°以下の方向に延在するように形成されており、
前記映写機は、前記スクリーンの使用時の正面視において、前記スクリーンより左側または右側に設置される、
映像表示装置。
【請求項２】
前記光散乱部が白色又は銀色の顔料を含有して散乱反射により光を散乱する、請求項１に記載の映像表示装置。
【請求項３】
前記光散乱部が透明な樹脂と、該透明な樹脂とは屈折率が異なる粒子状の光散乱剤と、を含み、前記光散乱部中を光が透過することにより光を散乱する請求項１に記載の映像表示装置。
【発明の詳細な説明】
【技術分野】
【０００１】
本発明は、映写機および該映写機から投射された映像光を視認可能に表示するスクリーンを備えた映像表示装置に関する。
【背景技術】
【０００２】
通常、映写機から投射された映像光を視認可能に表示するスクリーンは、反射型、透過型を問わず映写機から投射された映像光を表示することを目的としており、観察者からみてスクリーンの反対側（背面側）を観察することができない。透過型のスクリーンでは背面から投射された映像光を観察者側（正面側）に透過することにより映像を表示するので背面側からの光を透過することは可能である。しかしながらこのような透過型のスクリーンでは、映像光の視野角を広げること等を目的として表面に凹凸が設けられたり、透過する光を拡散する光拡散層が設けられたりしており、光の透過は可能であるが背面側の様子を観察することはできない。
【０００３】
特許文献１には、このような透過型のスクリーンに対して複数の孔を開ける等して透視性を有する部分を形成し、スクリーンの背景を視認することができる技術が開示されている。
【０００４】
また、特許文献２には、光を透過可能な単位プリズム形状と、複数の単位プリズム形状の間に配置される光吸収部と、裏面側に設けられて映像光を反射するとともに裏面からの光を透過可能な反射透過層と、が具備された半透過型反射スクリーンが開示されている。これによれば、単位プリズム形状を透過した映像光を反射透過層で反射させて観察者側に提供することによりスクリーンとして機能するとともに、プリズム形状を通して背面側の様子を観察することができるとされている。
【先行技術文献】
【特許文献】
【０００５】
【特許文献１】特開２００６−１３３６３６号公報
【特許文献２】特開２００６−２４３６９３号公報
【発明の概要】
【発明が解決しようとする課題】
【０００６】
しかしながら、特許文献１に開示されている構成のスクリーンでは、外光も映像光と同様に拡散してしまうためコントラストが低下する問題があった。これに対して特許文献２に開示されているような構成のスクリーンでは、光吸収部が具備されているので外光を吸収することができ、コントラストを向上させることができる。しかしながら、本来は観察者側に提供されるべき光も光吸収部が吸収してしまい、表示させるべき映像や背面側の様子を観察する際の明るさが不足するという問題があった。
【０００７】
そこで本発明は上記した問題点に鑑み、明るく、且つコントラストが向上された映像を表示できるとともに、いずれの側からも反対側の視認性に優れるスクリーンと該スクリーンに映像光を投射する映写機とを備えた、映像表示装置を提供することを課題とする。
【課題を解決するための手段】
【０００８】
以下、本発明について説明する。
【０００９】
請求項１に記載の発明は、投射された映像光を視認可能に表示するスクリーンと、該スクリーンに映像光を投射する映写機と、を備えた映像表示装置であって、スクリーンは、透光性を有するシート状の基材層と、該基材層の一方の面に形成され、光を散乱する光散乱層と、を備え、光散乱層は、基材層の一方の面に沿って複数並列された、光を透過する光透過部と、隣り合う光透過部間に配置された、光を散乱する光散乱部と、を備え、スクリーンの使用時において光透過部および光散乱部が鉛直方向に対して５°以下の方向に延在するように形成されており、映写機は、スクリーンの使用時の正面視において、スクリーンより左側または右側に設置される、映像表示装置である。
【００１０】
ここに「光透過部および光散乱部は、鉛直方向に対して５°以下の方向に延在している」とは、スクリーンを正面から見て、光透過部および光散乱部が鉛直方向に対して時計周りもしくは反時計回りの方向に５°以下の角度で傾いて延在していることを意味する。
【００１１】
請求項２に記載の発明は、請求項１に記載の映像表示装置において、光散乱部が白色又は銀色の顔料を含有して散乱反射により光を散乱する。
【００１２】
請求項３に記載の発明は、請求項１に記載の映像表示装置において、光散乱部が透明な樹脂と、該透明な樹脂とは屈折率が異なる粒子状の光散乱剤と、を含み、光散乱部中を光が透過することにより光を散乱する。
【発明の効果】
【００１３】
本発明によれば、明るく、且つコントラストが向上された映像を表示できるとともに、いずれの側からも反対側の視認性に優れるスクリーンと該スクリーンに映像光を投射する映写機とを備えた、映像表示装置となる。
【図面の簡単な説明】
【００１４】
【図１】映像表示装置１を説明する上面図である。
【図２】スクリーン１００の水平断面を示し、層構成を模式的に表した図である。
【図３】光散乱層１１４を拡大して示した図である。
【図４】光散乱層１１４ａの一部について、水平断面を概略的に示した図である。
【図５】光散乱層１１４の製造過程の一場面を表した図である。
【図６】映像表示装置２を説明する上面図である。
【図７】スクリーン２００の水平断面を示し、層構成を模式的に表した図である。
【発明を実施するための形態】
【００１５】
本発明の上記した作用及び利得は、次に説明する発明を実施するための形態から明らかにされる。以下本発明を図面に示す実施形態に基づき説明する。ただし本発明は当該実施形態に限定されるものではない。また、以下に示す各図では、分かりやすさのため形状を誇張して記載することがあり、見やすさのため繰り返しとなる符号は省略することがある。
【００１６】
図１は一つの実施形態にかかる映像表示装置１の構成を概略的に示した上面図である。本実施形態の映像表示装置１は、観察者側から投射された映像光を視認可能に表示するスクリーン１００と、該スクリーン１００に映像光を投射する映写機１０と、を備えている。
【００１７】
本実施形態において、スクリーン１００は支持手段によって所定の姿勢で固定されている。スクリーン１００を固定する支持手段は特に限定されない。当該支持手段の具体例としては、以下のような手段を挙げることができる。
・スクリーン１００を一定の姿勢で保持可能であるとともに床等に載置もしくは固定可能な台を含む手段
・床や天井に固定された棒および該棒にスクリーン１００を一定の姿勢で保持する保持部材を含む手段
・建物の壁や柱および該壁や柱にスクリーン１００を一定の姿勢で保持する保持部材を含む手段
また、後述するように、スクリーン１００に備えられたパネル１１１および接着層１１３を当該支持手段の少なくとも一部とすることもできる。
【００１８】
また、スクリーン１００は観察者側から投射された映像光を反射させて表示するスクリーンである。従って、図１からわかるようにＡで表した観察者の側である正面に映写機１０が設置され、これとは反対側（背面側物体Ｂが存在する側）が背面側となる。
【００１９】
後に詳述するように、スクリーン１００は左側または右側から投射された映像光を表示できるように構成されている。したがって、スクリーン１００に映像光を投射する映写機１０は、スクリーン１００の使用時の正面視において、スクリーン１００の中心より左側または右側に設置される（図示した実施形態では左側）。なお、映写機１０としては、公知のプロジェクタを特に限定することなく用いることができる。
【００２０】
スクリーン１００は、映写機１０から投射された映像光が後述する光散乱部１１６に照射されることによって、映像を表示できる。映写機１０から投射された映像光が後述する光散乱部１１６に効率良く照射されるようにする観点から、後に詳述する見込み角θ２を考慮して光散乱層１１４の設計及び／又は映写機１０の設置位置の調整を行うことが好ましい。
【００２１】
以下、スクリーン１００について詳細に説明する。図２は、スクリーン１００の水平方向断面図であり、スクリーン１００の層構成を模式的に表した図である。図２では、図２の紙面左が背面側、紙面右が正面側（観察者側）、紙面手前が天、紙面奥が地となる。
【００２２】
図２に示したように、スクリーン１００は、背面側からパネル１１１、該パネル１１１に貼合された積層体１１２を備えている。そして積層体１１２は、背面側から接着層１１３、光散乱層１１４、基材層１１７、接着層１１８、ハードコート層１１９を備えている。
【００２３】
パネル１１１は、ガラスや樹脂でできた透光性を有する板状の部材である。従って、パネル１１１を構成する部材としては公知の板ガラスや樹脂パネルを用いることができる。これにより、スクリーン１００は固定型のスクリーンとして安定した設置が可能となる。また、ショーウィンドウのガラスケースや建物の開口部等に設けられた窓ガラスの一部をパネル１１１とすることもできる。なお、ガラスケースや窓ガラスのように建物などに固定された部材の一部をパネル１１１とする場合、該パネル１１１および接着層１１３によってスクリーン１００を略鉛直にして姿勢を保持することができる。したがって、この場合は、パネル１１１および接着層１１３を上記支持手段の少なくとも一部とすることができる。
【００２４】
接着層１１３は、パネル１１１に積層体１１２を接着するための層である。接着層１１３を構成する材料としては、パネル１１１に積層体１１２を接着できるものであれば特に限定されない。すなわち、接着層１１３を構成する材料としては、公知の粘着剤、接着剤、光硬化性樹脂、熱硬化性樹脂等を用いることができる。接着層１１３を構成する材料の具体例としては、アクリル系の粘着剤を挙げることができる。さらに具体的には、アクリル系共重合体とイソシアネート化合物とを組み合わせた粘着剤を挙げることができる。ただし、スクリーン１００の性質上、接着層１１３を構成する材料は透光性および耐候性に優れることが好ましい。
【００２５】
接着層１１３の厚さは特に限定されないが、１０μｍ以上１００μｍ以下であることが好ましい。接着層１１３の厚さを１０μｍ以上とすることによって、パネル１１１と積層体１１２との密着性を向上させやすくなる。また、接着層１１３の厚さを１００μｍ以下とすることによって、接着層１１３の厚さを均一にしやすくなる。
【００２６】
光散乱層１１４は光透過部１１５及び光散乱部１１６を有し、図２に示した断面を有して紙面奥／手前側に延在する。すなわち、図２に表れる断面を有して光透過部１１５及び光散乱部１１６がスクリーン面に沿った一方向（本実施形態では鉛直方向）に延びるように形成されるとともに、スクリーン面に沿った該一方向とは異なる方向（本実施形態では水平方向）に複数並列されている。そして光散乱部１１６は光透過部１１５の間に配置されている。図３には光散乱層１１４の一部を拡大した図を示した。
【００２７】
光透過部１１５は後述するように光を散乱させることなく透過する部位であり、光散乱部１１６は後述するように光を散乱させる部位である。光透過部１１５及び光散乱部１１６は鉛直方向に対して５°以下の方向に延びるように形成されている。なお、「光透過部１１５及び光散乱部１１６は鉛直方向に対して５°以下の方向に延びるように形成されている。」とは、スクリーン１００を正面から見て、光透過部１１５及び光散乱部１１６が鉛直方向に対して時計周りもしくは反時計回りの方向に５°以下の角度で傾いて延在していることを意味する。後に詳述するように、光散乱部１１６がこのように鉛直方向に近い角度で延在することによって、正面視においてスクリーン１００の左側または右側に設置した映写機１０から投射された映像光をスクリーン面に表示できる。また、光透過部１１５が鉛直方向に近い角度で延在することによって、斜め上方からスクリーン１００に入射する外光を透過させてスクリーン１００に表示される映像のコントラストを向上させることができる。光透過部１１５及び光散乱部１１６が延在する方向は、鉛直方向に対して０．５°以上５°以下であることが好ましく、１°以上２°以下であることがより好ましい。光透過部１１５及び光吸収部１１６が延びる方向を上記のように鉛直方向に対して所定の角度で傾斜させることによって、光透過部１１６及び光散乱部１１７により形成される縞状と、映写機からスクリーン１００に投射される映像光が有する画素や、スクリーン１００の背面側にある建物の壁や柱の端部等との干渉によってモアレ縞が生じることを抑制できる。
【００２８】
光透過部１１５は光を透過する部位であり、光を散乱させることなく透過させることができるように形成されていることが好ましい。なお、「光を散乱させることなく透過させる」とは、意図的に散乱させる材料等を添加することなく形成することを意味し、当該部位を光が透過するときに不可避的に散乱が生じることは許容される。
【００２９】
また、光透過部１１５は、基材層１１７側の面とその反対側面（接着層１１３側の面）とが平行、且つ平滑に形成されている。これによって、スクリーン１００は、後述するように正面側および背面側のいずれの側からも反対側の視認性に優れたスクリーンとなる。
【００３０】
光透過部１１５を構成する材料としては、例えば、アクリル、スチレン、ポリカーボネート、ポリエチレンテレフタレート、アクリロニトリル等の１つ以上を主成分とする透明樹脂や、エポキシアクリレートやウレタンアクリレート系の反応性樹脂（電離放射線硬化型樹脂等）を挙げることができる。
【００３１】
光散乱部１１６は、隣り合う２つの光透過部１１５間に形成される部位である。すなわち、上記したように光透過部１１５はシート面に沿った方向に所定の間隔で並列され、光透過部１１５間には、台形断面を有する凹部が形成されている。本実施形態における当該凹部は、接着層１１３側（背面側）に長い下底、基材層１１７側（正面側）に短い上底を有する台形状の断面を有した溝であり、ここに光散乱部１１６を構成する材料が充填されることにより光散乱部１１６が形成されている。従って、光散乱部１１６は光透過部１１５間の凹部に沿った台形断面を具備している。
【００３２】
光散乱部１１６は、ここに照射された光を散乱させる部位である。光散乱部１１６は、例えば、ここに照射された光を散乱反射することができるように構成することができる。この場合、光散乱部１１６を構成の材料の例としては、白色顔料や銀色顔料等の光を散乱反射させる光散乱剤を透明なバインダー樹脂（硬化性樹脂）に分散させた組成物が挙げられる。上記白色顔料としては、例えば、酸化チタン、二酸化チタン、酸化マグネシウム、酸化亜鉛などの金属酸化物が挙げられる。また、上記銀色顔料としては、例えば、アルミニウム、クロムなどの金属が挙げられる。このような組成物で光散乱部１１６を構成することによって、光散乱部１１６に照射された光を効率よく光を散乱反射させることができる。なお、上記透明なバインダー樹脂（硬化性樹脂）としては、光透過部１１５を構成する材料と同様のものを用いることができる。
【００３３】
また、光散乱部１１６は、上記透明なバインダー樹脂と該バインダー樹脂とは屈折率が異なる透明な光散乱剤とを混合させた材料で構成してもよい。当該透明な光散乱剤としては、例えば、（メタ）アクリル酸エステル及びスチレンを中心としたモノマーを重合して得られた架橋粒子が挙げられる。当該架橋粒子の具体例としては、アイカ工業株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、上記透明な光散乱剤にはウレタン架橋粒子を用いることも可能である。当該ウレタン架橋粒子の具体例としては、根上工業株式会社製のアートパール（登録商標）が挙げられる。また、光散乱剤は中空粒子にすることも可能である。
【００３４】
上述した光散乱剤は、光散乱部１１６内に均一に分散される形態であってもよいが、所定の濃度分布を有していてもよい。例えば厚さ方向（図３の左右方向）で段階的に光散乱剤の含有濃度を変更する例を挙げることができる。これにより例えば外光の散乱を抑えてコントラストを向上させることが可能である。このように光散乱剤の濃度分布があるように光散乱部を形成する方法は特に限定されることはないが、例えば光散乱剤の濃度が異なる材料を何回かに分けて光透過部１１５間の凹部に充填する方法が挙げられる。
【００３５】
なお、光散乱部１１６に用いる上記バインダー樹脂の屈折率は光透過部１１５を構成する材料の屈折率と同じであることが好ましい。これにより光透過部１１５と光散乱部１１６との界面における屈折、及びこれによる波長分散を防止することができ、スクリーン１００の表面に虹状のムラ（模様）が発生することを抑制できる。ただし、後述するように光透過部と光散乱部との界面で外光を意図的に全反射させたい場合は、光散乱部に用いる上記バインダー樹脂の屈折率を、光透過部を構成する材料の屈折率より大きくする。
【００３６】
光散乱部１１６の台形断面のうち脚部を構成する斜辺の、スクリーン面法線に対する角度θＲ、θＬ（図３参照）は、０°以上３０°以下であることが好ましい。スクリーン面法線に対する角度θＲ、θＬが０°以上（本実施形態でθ１が負であるとは、図２、図３に表れる断面において、光散乱部１１６の基材層１１７側の底の幅より接着層１１３側の底の幅が短い形状となることを意味する。）になるように光散乱部１１６を形成すれば、後述するようにして光透過部１１５を成形する際に用いる金型の作製が容易になる。また、後述するようにして金型を用いて光散乱部１１６を成形する際に、該金型から光散乱部１１６を離型しやすくなる。一方、θＲ、θＬを３０°以下とすることによって、２つの光透過部１１５間に形成される凹部の開口幅に対する該凹部の深さのアスペクト比を大きくしやすくなり、光散乱層１１４による後述する所望の効果を得やすくなる。
【００３７】
ただし、光透過部及び光散乱部の形状は図２、図３に例示した形態に限定されない。光透過部は基材層側（正面側、観察者側）の面とその反対側（背面側）の面とが平行に形成されていることが好ましい。従って、図２、図３に表れる断面に相当する断面において、光透過部及び光散乱部は長方形（θＲ、θＬ＝０°のとき）であってもよく、上記光散乱部の台形の脚部に相当する部分が曲線状（当該曲線の接線が各部において上記θＲ、θＬと同様に０°以上３０°以下であることが好ましい。）や折れ線状（折れ線を構成する各線が上記θＲ、θＬと同様に０°以上３０°以下であることが好ましい。）であってもよい。
【００３８】
また、θＲとθＬとが等しくなくてもよい。例えば、図４に例示したように、θＲまたはθＬの一方（図４に例示した形態ではθＲ）をθＲまたはθＬの他方より小さく、もしくは０°（図４に例示した形態ではθＲが０°）としてもよい。図４は、光散乱層の他の実施形態例である光散乱層１１４ａの一部について、水平断面を概略的に示した図である。光散乱層１１４ａは光透過部１１５ａ及び光散乱部１１６ａを備えている。光透過部１１５ａ、光散乱部１１６ａは、それぞれ断面形状以外は光透過部１１５、光散乱部１１６と同じである。光散乱層１１４ａでは、光透過部１１５ａと光散乱部１１６ａとの界面のうち映像光Ｌ１０１が投射される側の界面のスクリーン面法線に対する角度θＬはある程度大きくその反対側の界面のスクリーン面法線に対する角度θＲは０°となっている。このように、光透過部と光散乱部との界面のうち映像光が照射される側の界面のスクリーン面法線に対する角度をある程度大きくすることによって、該界面に対する映像光の入射角が小さくなり、映像光が光散乱部に侵入しやすくなって拡散されやすくなる。また、光透過部と光散乱部との界面のうち映像光が投射される側とは反対側の界面のスクリーン面法線に対する角度を小さくすることによって、映像光とは反対側からスクリーンに照射された外光の当該界面において全反射されやすくなる。その結果、後述するようにスクリーンに表示される映像のコントラストを向上させやすくなる。
【００３９】
また、光散乱部１１６と光透過部１１５との界面において光を散乱反射させ易くするという観点から、光散乱部１１６と光透過部１１５との界面のうち観察者側の部位を微小な凹凸が無数に形成された面であるマット面としてもよい。
【００４０】
光散乱部１１６が並列されるピッチは特に限定されないが、１０μｍ以上２００μｍ以下であることが好ましい。光散乱部１１６のピッチを１０μｍ以上とすることによって、光散乱部１１６が微細形状になり過ぎることを防止でき、光散乱層１１４の作製が容易になる。一方、光散乱部１１６のピッチを２００μｍ以下とすることによって、後述するようにして金型を用いて光散乱部１１６を成形する際に、該金型から光散乱部１１６を離型しやすくなる。また、回折現象によって光散乱層１１４を透過する光の波長が分散して虹状のムラを生じることを抑制する観点からは、光散乱部１１６のピッチは１００μｍ以上であることが好ましく、ランダムであることがより好ましい。
【００４１】
また、光散乱部１１６の台形断面のうち、接着層１１３側（背面側）の幅は特に限定されないが、５μｍ以上１５０μｍ以下であることが好ましい。当該幅を５μｍ以上とすることによって、光散乱部１１６が微細形状になり過ぎることを防止でき、光散乱層１１４の作製が容易になる。一方、当該幅を１５０μｍ以下とすることによって、後述するようにして金型を用いて光散乱部１１６を成形する際に、該金型から光散乱部１１６を離型しやすくなる。
【００４２】
また、複数の光散乱部１１６の関係のうち、図３に示した見込み角θ２は、映写機１０からの映像光の投射角θ０に対して、次の式（１）の関係を有していることが好ましい。
【００４３】
【数１】
2014115598.tif 000003
【００４４】
ここで、ｎは光透過部１１５の屈折率を表している。式（１）を満たすように光散乱層１１４を設計する、及び／又は映写機１０の設置位置を調整することにより、映写機１０からの映像光が光散乱部１１６に達する割合が多くなり、より明るい映像を観察者に提供することができる。
ここで、「見込み角θ２」とは、図３に表れているように、隣接する２つの光散乱部１１６のうちの一方（映写機１０から遠い側）の光散乱部１１６の背面側角部と、他方（映写機１０近い側）の光散乱部１１６の正面側角部とを結ぶ線であり、１つの光透過部１１５の台形断面における対角線を構成する線が、スクリーン１００のスクリーン面の法線となす角である。
また、「映像光の投射角θ０」とは、映写機から投射される映像光のうちその光軸（輝度が最も高い部分に沿った軸線）が、スクリーン１００のスクリーン面の法線となす角である（図２のθ０参照。ここでは映像光Ｌ１０１の投射角をθ０としている。）。
映像光の投射角θ０は空気中（屈折率＝１）、見込み角θ２は光透過部１１５中をそれぞれ対象としているので、スネルの法則から、
１・ｓｉｎθ０＝ｎ・ｓｉｎθ２
の関係に基づいて、式（２）を算出し、これを臨界的な境界として式（１）を得ることができる。
【００４５】
【数２】
2014115598.tif 000004
【００４６】
光散乱層１１４の厚さ（図２の紙面左右方向の大きさ）は特に限定されないが、１０μｍ以上２００μｍ以下であることが好ましい。光散乱層１１４の厚さを１０μｍ以上とすることによって、光散乱部１１６の形成が容易になる。一方、光散乱層１１４の厚さを２００μｍ以下とすることによって、光透過部１１５を成形する際に用いる金型の製造が容易になる。また、後述するようにして金型を用いて光透過部１１５を成形する際に、該金型から光透過部１１５を離型しやすくなる。
【００４７】
図２に戻り、基材層１１７について説明する。基材層１１７は、光散乱層１１４を形成するための基材となる層である。従って基材層１１７は、透光性を有するとともに光散乱層１１４の変形を防止できるように支持する。かかる観点から、基材層１１７を構成する材料の具体例としては、アクリル、スチレン、ポリカーボネート、ポリエチレンテレフタレート、アクリロニトリル等のうちの１つ以上を主成分とする透明樹脂や、エポキシアクリレートやウレタンアクリレート系の反応性樹脂（電離放射線硬化型樹脂等）を挙げることができる。
【００４８】
基材層１１７の厚さは特に限定されないが、２５μｍ以上３００μｍ以下であることが好ましい。基材層１１７の厚さを２５μｍ以上とすることによって、積層体１１２の製造過程において基材層１１７に皺が生じ難くなる。また、基材層１１７の厚さを３００μｍ以下とすることによって、積層体１１２の製造過程において基材層１１７を含むシートの巻き取りが容易になる。
【００４９】
ここで基材層１１７の屈折率は光散乱層１１４の光透過部１１５の屈折率と同じであってもよいし、異なっていてもよい。ただし両者間で屈折率差があるとその界面で光が偏向されてしまう可能性が高まるので、同じ材料であること、又は異なる材料であっても屈折率差が小さい、あるいは屈折率差がないことが好ましい。
【００５０】
接着層１１８は、ハードコート層１１９を基材層１１７の面のうち光散乱層１１４とは反対側の面に貼り付けるための層である。接着層１１８を構成する材料としては、上記の目的を達し得るものであって透光性を有するものであれば、特に限定されない。接着層１１８を構成する材料の例としては、公知の粘着剤、接着剤、紫外線硬化樹脂、電離放射線硬化樹脂、光硬化性樹脂、熱硬化性樹脂等を挙げることができる。より具体的には、アクリル系の粘着剤を挙げることができる。さらに具体的には、アクリル系共重合体とイソシアネート化合物を組み合わせた粘着剤を挙げることができる。
【００５１】
接着層１１８の厚さは特に限定されないが、１０μｍ以上１００μｍ以下であることが好ましい。接着層１１８の厚さを１０μｍ以上とすることによって、ハードコート層１１９と光散乱層１１４との密着性を向上させやすくなる。また、接着層１１８の厚さを１００μｍ以下とすることによって、接着層１１８の厚さを均一にしやすくなる。
【００５２】
ハードコート層１１９は、スクリーン１００の表面保護を目的として、スクリーン１００のうちパネル１１１とは反対側の最表面に設けられる層である。ハードコート層１１９は透明な樹脂層として形成することができる。また、擦り傷、表面汚染に対する耐性の観点から、ハードコート層１１９は硬化性樹脂が硬化してなる樹脂硬化層として形成することが好ましい。
【００５３】
ハードコート層１１９を構成する材料の具体例としては、電離放射線硬化性樹脂、その他公知の硬化性樹脂等を挙げられ、これらをハードコート層１１９に要求される性能に応じて適宜採用すればよい。上記電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００５４】
また、ハードコート層１１９には、耐汚染性向上の機能を追加してもよい。これは例えばシリコーン系化合物、フッ素系化合物などを添加することにより可能となる。さらに、ハードコート層１１９にはその他の機能として帯電防止性向上、撥水性向上等の機能を追加してもよい。
【００５５】
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
【００５６】
また、撥水性向上のために用いることができる材料としては、フッ素系化合物等が挙げられる。
【００５７】
以上説明した構成を具備するスクリーン１００は例えば次のように製造することができる。
【００５８】
スクリーン１００は、パネル１１１に積層体１１２を貼合することによって製造できる。また、積層体１１２は、例えば次のように作製できる。
【００５９】
積層体１１２のうち、光散乱層１１４は金型ロールを用いる方法により形成する。すなわち、円筒状であるロールの外周面に光散乱層１１４の光透過部１１５の形状に対応した複数の溝が設けられた金型ロールを準備する。そして金型ロールとこれに対向するように配置されたニップロールとの間に、基材層１１７となる基材を挿入する。このとき当該基材の一方の面には接着層１１８が予め形成されていることが好ましい。その際には、接着層１１８の基材とは反対側の面が他のものにくっついてしまわないように、接着層１１８の表面のうち基材と反対側の表面には離型フィルムを貼り付ける。そして、基材のうち接着層１１８が配置されていない側の面と金型ロールとの間に光透過部１１５を構成する組成物を供給しながら金型ロール及びニップロールを回転させる。これにより金型ロールの表面に形成された溝内に光透過部１１５を構成する組成物が充填され、該組成物が金型ロールの表面形状に沿ったものとなる。
【００６０】
ここで、光透過部１１５を構成する組成物としては、上記したものが好ましいが、さらに具体的には次の通りである。すなわち、光硬化型プレポリマー（Ｐ１）に、反応性希釈モノマー（Ｍ１）及び光重合開始剤（Ｉ１）を配合した光硬化型樹脂組成物を用いることができる。
【００６１】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００６２】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００６３】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン化合物（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらの中から、光硬化型樹脂組成物を硬化させるための照射装置及び光硬化型樹脂組成物の硬化性から任意に選択することができる。なお、光透過部１１５の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００６４】
これらの光硬化型プレポリマー（Ｐ１）、反応性希釈モノマー（Ｍ１）及び光重合開始剤（Ｉ１）は、それぞれ、１種類で、又は２種以上を組み合わせて用いることができる。
【００６５】
金型ロールと基材との間に挟まれ、ここに充填された光透過部１１５を構成する組成物に対し、基材側から光照射装置により光を照射する。これにより、光透過部１１５を構成する組成物を硬化させ、その形状を固定させることができる。そして、離型ロールにより金型ロールから基材層１１７上に形成された光透過部１１５を離型する。
【００６６】
次に、隣り合う光透過部１１５間に形成された凹部に光散乱部１１６を構成する組成物（電離放射線硬化性樹脂やその他公知の硬化性樹脂に、上記した光散乱剤を所定の濃度で分散させた組成物）を充填して硬化させることによって、光散乱部１１６を形成することができる。図５にその過程の一場面を表した。初めに光散乱部１１６を構成する組成物１２０を光透過部１１５間の凹部１１５ａに過剰に供給する。次いで、ブレード１２１により光透過部１１５の上面をスキージして組成物１２０のうち過剰分を掻きとって除去するとともに、凹部１１５ａ内に組成物１２０を充填する。このようにして充填された組成物１２０に対して適切な硬化方法を適用して硬化性樹脂を硬化させる。これにより光散乱部１１６が形成される。
上記のようにして、基材層１１７上に光散乱層１１４を形成できる。
【００６７】
次に、接着層１１８にハードコート層１１９を積層する。なお、接着層１１８が紫外線硬化樹脂、光硬化性樹脂等からなる場合には、積層後に紫外線又は光を照射して硬化させればよい。
また、光散乱層１１４のうち基材層１１７とは反対側には接着層１１３を積層する。
【００６８】
以上のように作製した積層体１１２を接着層１１３によりパネル１１１に貼合することでスクリーン１００を製造することができる。
【００６９】
スクリーン１００には上記した各層のいずれかに、他の機能を付加させるための構成を備えてもよい。これには例えば、紫外線吸収剤、熱線吸収剤、又は近赤外線吸収剤を添加し、紫外線吸収機能、熱線吸収機能、又は近赤外線吸収機能を備えさせることが挙げられる。
【００７０】
近赤外線吸収機能は、近赤外線吸収剤（近赤外線吸収色素）を上記した各層の１つ又は複数に添加したり、塗布したりすることにより向上させることができる。近赤外線吸収色素としては、８００ｎｍ以上１１００ｎｍ以下の波長領域の光を吸収するものを用いることが好ましい。該波長領域の近赤外線の透過率が２０％以下であることが好ましく、１０％以下であることがさらに好ましい。一方で、近赤外線吸収色素は可視光領域、即ち、３８０ｎｍ以上７８０ｎｍ以下の波長領域で、十分な透過率を有することが好ましい。
【００７１】
紫外線吸収機能は、以下に例示する紫外線吸収剤を上記した各層の１つ又は複数に添加したり、塗布したりすることにより向上させることができる。紫外線吸収剤としては、ベンゾトリアゾール系紫外線吸収剤（ＴＩＮＵＶＩＮ  Ｐ、ＴＩＮＵＶＩＮ  Ｐ  ＦＬ、ＴＩＮＵＶＩＮ  ２３４、ＴＩＮＵＶＩＮ  ３２６、ＴＩＮＵＶＩＮ  ３２６  ＦＬ、ＴＩＮＵＶＩＮ  ３２８、ＴＩＮＵＶＩＮ  ３２９、ＴＩＮＵＶＩＮ  ３２９  ＦＬ、全てＢＡＳＦジャパン株式会社製）や、トリアジン系紫外線吸収剤（ＴＩＮＵＶＩＮ  １５７７  ＥＤ、ＢＡＳＦジャパン株式会社製）、ベンゾフェノン系紫外線吸収剤（ＣＨＩＭＡＳＳＯＲＢ  ８１、ＣＨＩＭＡＳＳＯＲＢ  ８１  ＦＬ、全てＢＡＳＦジャパン株式会社製）、ベンゾエート系紫外線吸収剤（ＴＩＮＵＶＩＮ  １２０、ＢＡＳＦジャパン株式会社製）等が挙げられる。
【００７２】
熱線吸収機能は、以下に例示する熱線吸収剤を上記した各層の１つ又は複数に添加したり、塗布したりすることにより向上させることができる。熱線吸収剤としては、アンチモンドープ酸化スズ（ＡＴＯ）又はスズドープ酸化インジウム（ＩＴＯ）、フタロシアニン化合物等の金属酸化物超微粒子などが挙げられる。
【００７３】
次に、スクリーン１００を図１のようにして設置したときの作用について説明する。図２に模式的な光路例を示した。なお当該光路例は概念的に示したものであり、屈折、反射の程度等を厳密に表したものではない。以下同様である。
【００７４】
映写機１０（図１参照）から投射された映像光Ｌ１０１は、ハードコート層１１９、及び接着層１１８を透過して光散乱層１１４の光散乱部１１６に到達する。光散乱部１１６に到達した映像光Ｌ１０１は、光散乱部１１６によって散乱反射される。そして、散乱反射された光の一部が映写機１０側、すなわち観察者側に向きが変えられる。そしてスクリーン１００から出射して観察者に映像として提供される。
【００７５】
スクリーン１００によれば、光散乱部１１６で映像光を散乱反射させて観察者側に出射することができるので、明るい映像を提供することができる。すなわち、映写機１０からの映像光を効率よく観察者側に反射させて出射することが可能である。
【００７６】
従来のスクリーンでは通常、スクリーンの斜め上または斜め下に映写機を設置する必要があった。一方、スクリーン１００の光散乱層１１４は、鉛直方向に近い角度で延在した光散乱部１１６を有しているため、図２に示したようにスクリーン１００の左斜め前または右斜め前から照射された映像光を効率よく正面に出射することができる。従って、スクリーン１００を備えたスクリーン構造体１によれば、映写機１０をスクリーン１００の横に設置できるため、汎用性が広がる。
【００７７】
また、スクリーン１００によれば、光散乱層１１４の光透過部１１５が鉛直方向に近い角度で延在しているため、観察者側の斜め上や斜め下からスクリーン１００に入射する外光（太陽光や蛍光灯の光など）の少なくとも一部は光散乱部１１６に到達することなく光透過部１１５を透過してスクリーン１００の背面側に出射する。スクリーンに照射される外光としては、天井に設置された電灯からの光や太陽光等が多く、これらの光は斜め上方から直接スクリーンに照射されたり、床等で反射して斜め下方からスクリーンに照射されたりする。スクリーン１００によれば、このような観察者側から照射された外光の少なくとも一部が上記のように光散乱部１１６に到達することなく光透過部１１５を透過してスクリーン１００の背面側に出射する。このような外光が映像光と同様に光散乱部１１６において散乱されれば映像のコントラストが低下しやすくなるが、スクリーン１００によれば上記のように外光が光散乱部１１６に到達することなく光透過部１１５を透過して背面側に出射するので、映像のコントラストを向上させることができる。
【００７８】
従って、スクリーン１００によれば、映像光を効率良く観察者側に提供するとともに外光は背面側に透過させ映像光に影響を与えないようにすることが可能となる。これによりコントラストが向上する。このようなコントラスト向上の効果は、外光が強い昼間の屋外などにおいて特に顕著となる。
【００７９】
また、光散乱部１１６ａ及び光透過部１１５ａを構成する材料に屈折率差がある場合、図４に例示した光散乱部１１６ａのように、映像光Ｌ１０１が投射される側とは反対側の光散乱部１１６ａと光透過部１１５ａとの界面のスクリーン面法線方向に対する角度を小さくすると、映像光Ｌ１０１が投射される側とは反対側からスクリーン（光散乱層１１４ａ）に入射した外光Ｌ１０３の少なくとも一部を、光散乱部１１６ａと光透過部１１５ａとの界面で全反射させてスクリーンの背面側へと偏向させることができる。その結果、スクリーンの正面側に反射される外光を減らし、スクリーンに映し出される映像のコントラストを向上させることができる。このようにして光散乱部１１６ａと光透過部１１５ａで全反射される外光の角度は、光散乱部１１６ａと光透過部１１５ａとの界面の角度や光散乱部１１６ａ及び光透過部１１５ａを構成する材料の屈折率差による。
【００８０】
一方、スクリーン１００の背面側からスクリーン１００を通過して観察者に達する光はＬ１０２による。すなわち、背面側からのスクリーン面の法線方向に近い角度でスクリーン１００に入射した光Ｌ１０２は、光散乱部１１６に達することなくスクリーン１００を透過して観察者に観察される。従って、基材層１１７の面（パネル１１１の面）に対して平行な面である光透過部１１５の基材層１１７側の面及びその反対側の面を介して背面側からの光が観察者に提供されるので、スクリーン１００の正面側から明確に明るくスクリーン１００の背面側を観察することができる。
【００８１】
なお、正面側からのスクリーン面の法線方向に近い角度でスクリーン１００に入射した光の少なくとも一部は、上記光Ｌ１０２の逆の経路で光散乱部１１６に達することなくスクリーン１００を透過して背面側に出射される。従って、スクリーン１００の背面側から明確に明るくスクリーン１００の正面側を観察することもできる。
【００８２】
図６は他の実施形態にかかる映像表示装置２の構成を概略的に示した上面図である。本実施形態の映像表示装置２は、背面側から投射された映像光を透過させて視認可能に表示するスクリーン２００と、該スクリーン２００に映像光を投射する映写機２０と、を備えている。
【００８３】
本実施形態において、スクリーン２００は支持手段によって所定の姿勢で固定されている。スクリーン２００を固定する支持手段は、上述したスクリーン１００を固定する支持手段と同様とすることができるので、詳細な説明は省略する。
【００８４】
スクリーン２００は背面側から投射された映像光を正面に出射させて表示するスクリーンである。従って、図６からわかるようにＡで表した観察者の側が正面となり、これとは反対側（背面側物体Ｂが存在する側）である背面側に映写機２０が設置される。
【００８５】
上述したスクリーン１００と同様に、スクリーン２００に映像光を投射する映写機２０は、スクリーン２００の使用時の正面視において、スクリーン２００の中心より左側または右側に設置される（図示した実施形態では左側）。当該映写機２０は、公知のプロジェクタである。
【００８６】
以下、スクリーン２００について詳細に説明する。図７は、スクリーン２００の水平方向断面図であり、スクリーン２００の層構成を模式的に表した図である。図７では、図７の紙面左が背面側、紙面右が正面側（観察者側）、紙面手前が天、紙面奥が地となる。
【００８７】
図７に示したように、スクリーン２００は、背面側からパネル１１１、該パネル１１１に貼合された積層体２１２を備えている。そして積層体２１２は、背面側から接着層１１３、光散乱層２１４、基材層１１７、接着層１１８、ハードコート層１１９を備えている。
従って、スクリーン２００は上記説明したスクリーン１００の光散乱層１１４の代わりに光散乱層２１４を適用した点で異なる。さらに詳しくは、スクリーン１００の光散乱層１１４の光散乱部１１６に代えて光散乱部２１６を適用した点が異なる。従ってここでは光散乱部２１６について説明する。
【００８８】
光散乱部２１６は構成材料と該構成材料による効果が上記した光透過部１１５と異なるが、形状等については光透過部１１５と同様である。
【００８９】
光散乱部２１６は、ここに照射された光を透過させつつ散乱させることができるように構成されている。そのため、光散乱部２１６には光を透過しつつ散乱させるための材料が充填されている。そのための材料は特に限定されることはないが、材料の例としては、透明なバインダー樹脂と該バインダー樹脂とは屈折率が異なる透明な光散乱剤とを混合させた材料が好ましい。透明なバインダー樹脂としては光透過部１１５を構成する材料と同様のものを用いることができる。
【００９０】
一方、上記透明な光散乱剤としては、例えば、（メタ）アクリル酸エステル及びスチレンを中心としたモノマーを重合して得られた架橋粒子が挙げられる。当該架橋粒子の具体例としては、アイカ工業株式会社製のガンツパール（登録商標）が挙げられる。上記架橋粒子は、アクリル酸エステル及びスチレンとの混合比を変えることによって、屈折率を制御することができる。例えば、アクリル比を高くすることで屈折率を１．４９程度にすることができ、スチレン比を高くすることで屈折率を１．５９程度にすることができる。また、光散乱剤にはウレタン架橋粒子を用いることも可能である。当該ウレタン架橋粒子の具体例としては、根上工業株式会社製のアートパール（登録商標）が挙げられる。また、光散乱剤は中空粒子にすることも可能である。これにより効率よく光を透過散乱することができる。
【００９１】
上述した透明な光散乱剤は、光散乱部２１６内に均一に分散される形態であってもよいが、所定の濃度分布を有していてもよい。例えば厚さ方向（図７の左右方向）で段階的に光散乱剤の含有濃度を変更する例を挙げることができる。これにより例えば外光の散乱を抑えてコントラストを向上させることが可能である。このように光散乱剤の濃度分布があるように光散乱部を形成する方法は特に限定されることはないが、例えば光散乱剤の濃度が異なる材料を何回かに分けて光透過部１１５間の凹部に充填する方法が挙げられる。
【００９２】
なお、光散乱部２１６に用いる上記バインダー樹脂の屈折率と光透過部１１５を構成する材料の屈折率との関係は、上述した光散乱部１１６に用いるバインダー樹脂の屈折率と光透過部１１５を構成する材料の屈折率との関係と同様である。
【００９３】
また、スクリーン２００の製造方法についても、光散乱部２１６に充填すべき材料を上記のものに変更するのみでスクリーン１００と同様の方法を適用することが可能である。
【００９４】
次に、スクリーン２００を図６のようにして設置したときの作用について説明する。図７に模式的な光路例を示した。
【００９５】
映写機２０（図６参照）から投射された映像光Ｌ２０１は、パネル１１１、及び接着層１１３を透過して光散乱層２１４の光散乱部２１６に到達する。光散乱部２１６に到達した映像光Ｌ２０１は透過散乱される。そして、散乱された光は、スクリーン２００から出射して観察者に映像として提供される。
【００９６】
スクリーン２００によれば、光を意図的に吸収する部位を設けずとも、光散乱部２１６で映像光を透過散乱されて観察者に出射することができるので、明るい映像を提供することができる。すなわち、映写機２０からの映像光を効率よく観察者側に出射することが可能である。
【００９７】
従来のスクリーンでは通常、スクリーンの斜め上または斜め下に映写機を設置する必要があった。一方、スクリーン２００の光散乱層２１４は、鉛直方向に近い角度で延在した光散乱部２１６を有しているため、図６に示したようにスクリーン１００の左斜め後ろまたは右斜め後ろから照射された映像光を効率よく正面に出射することができる。従って、スクリーン２００を備えたスクリーン構造体２によれば、映写機２０をスクリーン２００の横に設置できるため、汎用性が広がる。
【００９８】
また、スクリーン２００によれば、スクリーン２００と同様に光透過部１１５が鉛直方向に近い角度で延在しているため、観察者側の斜め上や斜め下からスクリーン２００に入射する外光（太陽光や蛍光灯の光など）の少なくとも一部は光散乱部２１６に到達することなく光透過部１１５を透過してスクリーン２００の背面側に出射する。したがって、スクリーン２００によればスクリーン１００と同様に映像のコントラストを向上させることができる。
【００９９】
従って、スクリーン２００によれば、映像光を効果的に観察者側に提供するとともに外光は背面側に透過させ映像光に影響を与えないようにすることが可能となる。これによりコントラストが向上する。このようなコントラスト向上の効果は、外光が強い昼間の屋外などにおいて特に顕著となる。
【０１００】
一方、スクリーン２００の背面側からスクリーン２００を通過して観察者に達する光はＬ２０２による。すなわち、背面側からのスクリーン面の法線方向に近い角度でスクリーン２００に入射した光Ｌ２０２は、光散乱部２１６に達することなくスクリーン２００を透過して観察者に観察される。従って、基材層１１７の面（パネル１１１の面）に対して平行な面である光透過部１１５の基材層１１７側の面及びその反対側の面を介して背面側からの光が観察者に提供されるので、スクリーン２００の正面側から明確に明るくスクリーン２００の背面側を観察することができる。
【０１０１】
なお、正面側からのスクリーン面の法線方向に近い角度でスクリーン２００に入射した光の少なくとも一部は、上記光Ｌ２０２の逆の経路で光散乱部２１６に達することなくスクリーン２００を透過して背面側に出射される。従って、スクリーン２００の背面側から明確に明るくスクリーン２００の正面側を観察することもできる。
【０１０２】
これまでに説明した映像表示装置１、２のスクリーン１００、２００は、例えばこれまでにオフィス等で用いられていたスクリーンの代わりにする等、従来のスクリーン用途に用いることができる。これに加えその他にも、ガラス張りで店内を視認できる店舗のショーウィンドウにスクリーン１００、２００を適用し、スクリーン１００、２００に効果的な映像を投射すれば、映像と店内とをいずれも視認することができ、ディスプレイ効果を向上させることができる。
【符号の説明】
【０１０３】
１  映像表示装置
１０  映写機
１００  スクリーン（反射スクリーン）
１１１  パネル
１１２  積層体
１１３  接着層
１１４  光散乱層
１１５  光透過部
１１６  光散乱部
１１７  基材層
１１８  接着層
１１９  ハードコート層
２  映像表示装置
２０  映写機
２００  スクリーン（透過スクリーン）
２１２  積層体
２１４  光散乱層
２１６  光散乱部
【図１】
2014115598.tif 000005
【図２】
2014115598.tif 000006
【図３】
2014115598.tif 000007
【図４】
2014115598.tif 000008
【図５】
2014115598.tif 000009
【図６】
2014115598.tif 000010
【図７】
2014115598.tif 000011